(57)【要約】【課題】小流量にも対応できるようにし、部品の脱着を容易にする。【解決手段】ケーシング１内をプレート２を介して上室３と下室４とに区画し、その下室４内に筒状フィルタ５を設けて、筒状フィルタ５の内側を導入室Ｄ、外側を排出室Ｅとし、その上室３を二分する左右上室３ａ，３ｂに流水管路Ｐをそれぞれ接続する。前記プレート２には、前記左右上室３ａ，３ｂと筒状フィルタ５の内側とをそれぞれ連通する対の流入弁孔１５ａ，１５ｂと、同じく左右上室３ａ，３ｂと前記排出室Ｅとをそれぞれ連通する対の流出弁孔１６ａ，１６ｂが設けられて、その両流入弁孔１５ａ，１５ｂにはプレート２下面に接離するフロート弁体２５ａ，２５ｂを備えて導入室Ｄの対の逆止弁とし、両流出弁孔１６ａ，１６ｂにはプレート２上面に接離するフロート弁体２６ａ，２６ｂを備えて排出室Ｅの対の逆止弁とし、小流量に対応して夾雑物の捕捉と逆洗を可能とし、逆止弁の脱着を容易とした。【選択図】図２
2006075817.tif 000002
【特許請求の範囲】
【請求項１】
流水管路Ｐに介設したケーシング１内にフィルタを設け、そのフィルタを介して導入室Ｄと排出室Ｅとに区画し、前記導入室Ｄにはその導入室Ｄへの流入のみ許容する対の逆止弁を、及び、前記排出室Ｅにはその排出室Ｅからの流出のみ許容する対の逆止弁を介してそれぞれ両側の流水管路Ｐ，Ｐを連通させるとともに、前記導入室Ｄにはケーシング１外に通じる排出口を設けて、フィルタによって捕捉された流水の夾雑物を逆洗により排出するようにした双方向流水管路の夾雑物除去装置において、
前記対の逆止弁は、それぞれ上下方向に昇降して弁孔を開閉するフロート弁体からなることを特徴とする夾雑物除去装置。
【請求項２】
前記ケーシング１内をプレート２を介して上室３と下室４とに区画し、前記フィルタをその上室３又は下室４のうち一方に設けるとともに、他方は、左右二室に区画されその左右二室にそれぞれ前記流水管路Ｐが接続されて、前記各対の逆止弁は、前記プレート２に設けられることを特徴とする請求項１に記載の夾雑物除去装置。
【請求項３】
前記プレート２に、前記左右二室と前記導入室Ｄとをそれぞれ連通する対の流入弁孔１５ａ，１５ｂと、前記左右二室と前記排出室Ｅとをそれぞれ連通する対の流出弁孔１６ａ，１６ｂとを設け、その両流入弁孔１５ａ，１５ｂには前記プレート２の導入室Ｄ側の面に接離するフロート弁体２５ａ，２５ｂを備えて前記導入室Ｄの対の逆止弁とし、前記両流出弁孔１６ａ，１６ｂには前記プレート２の排出室Ｅ側と反対側の面に接離するフロート弁体２６ａ，２６ｂを備えて前記排出室Ｅの対の逆止弁としたことを特徴とする請求項２に記載の夾雑物除去装置。
【請求項４】
前記各フロート弁体のうち前記プレート２の上面に接離するフロート弁体の比重は、前記流水管路Ｐに流れる水の比重より大なることを特徴とする請求項２又は３に記載の夾雑物除去装置。
【請求項５】
前記フィルタは筒状を成し、その筒状フィルタ５を、前記ケーシング１内にその筒軸が上下方向になるように設けたことを特徴とする請求項１乃至４のいずれかに記載の夾雑物除去装置。
【請求項６】
前記筒状フィルタ５は前記下室４に設けられ、前記左右二室は前記上室３に設けられてその左右二室をそれぞれ左上室３ａ及び右上室３ｂとし、
前記下室４内において、前記筒状フィルタ５の内側を前記導入室Ｄ、外側を前記排出室Ｅとし、その導入室Ｄ内を通水室１３と逆洗室１４とに区画する仕切部材１０を設けて、その通水室１３は、前記対の流入弁孔１５ａ，１５ｂを介して左上室３ａ及び右上室３ｂに、ならびに前記筒状フィルタ５を介して排出室Ｅに通じ、前記逆洗室１４は、前記筒状フィルタ５を介して排出室Ｅに通じて他は前記仕切部材１０によって閉じられて、その逆洗室１４には前記排出口が接続されるようになっており、その仕切部材１０の位置を可変としたことを特徴とする請求項５に記載の夾雑物除去装置。
【請求項７】
前記仕切部材１０は、前記筒状フィルタ５の内側を区画する鉛直仕切板１１と、前記逆洗室１４上部を閉じる水平仕切板１２とからなることを特徴とする請求項６に記載の夾雑物除去装置。
【請求項８】
前記鉛直仕切板１１は、筒軸心に位置する鉛直軸１７周りに回転可能に支持された可動鉛直仕切板１１ａと、その鉛直軸１７から前記筒状フィルタ５の周面に至る固定鉛直仕切板１１ｂとからなり、その可動鉛直仕切板１１ａは前記排出口への接続部分を含む方位で回転可能であり、前記水平仕切板１２は、前記鉛直軸１７周りに回転するとともに、その回転に連動して前記可動鉛直仕切板１１ａを回転させることを特徴とする請求項７に記載の夾雑物除去装置。
【請求項９】
前記フィルタは前記上室３に設けられ、前記左右二室は前記下室４に設けられてその左右二室をそれぞれ左下室４ａ及び右下室４ｂとし、前記排出口は、前記導入室Ｄ内の上方に設けられて、前記左下室４ａ及び前記右下室４ｂには、別の排出口がそれぞれ設けられることを特徴とする請求項１乃至５のいずれかに記載の夾雑物除去装置。
【請求項１０】
前記筒状フィルタ５は前記上室３に設けられ、前記左右二室は前記下室４に設けられてその左右二室をそれぞれ左下室４ａ及び右下室４ｂとし、
前記上室３内において、前記筒状フィルタ５の内側を前記導入室Ｄ、外側を前記排出室Ｅとし、その導入室Ｄ内を通水室１３と逆洗室１４とに区画する仕切部材３０又は４０を設けて、その通水室１３は、前記対の流入弁孔１５ａ，１５ｂを介して左下室４ａ及び右下室４ｂに、ならびに前記筒状フィルタ５を介して排出室Ｅに通じ、前記逆洗室１４は、前記筒状フィルタ５を介して排出室Ｅに通じて他は前記仕切部材３０又は４０によって閉じられて、その逆洗室１４には前記排出口が接続されるようになっており、その仕切部材３０又は４０の位置を可変としたことを特徴とする請求項５、又は請求項５を引用する請求項９に記載の夾雑物除去装置。
【発明の詳細な説明】
【技術分野】
【０００１】
この発明は、流水管路内を流れる夾雑物を除去するために、その流水管路の途中に介設される夾雑物除去装置に関するものである。
【背景技術】
【０００２】
一般的に、流水管路は、その管内面にライニング等を施すことにより錆止め等を行い、管内を流れる水に異物が混入しないようにしている。しかし、その流水管路の配管工事において、孔明け工事や切断工事等を行った際に発生した金属粉が、管内の水に混入する場合がある。また、工事の際に生じた流水管路の金属露出部で発生する錆や、管路内へ混じる砂利等が管内の水に混入する場合もある。これらの夾雑物は、流水管路下流に供給される水の水質を悪化させるので、流水中に夾雑物があることは好ましくない。そこで、流水管路の途中に筒状フィルタを介在させて夾雑物を取り除く手法が採用される。
【０００３】
しかし、網の目のように張り巡らされた水道配管等では、流水の方向が一定しない場合があるので、双方向どちらの流れに対しても常に夾雑物を除去可能とする必要がある。また、フィルタは、容易に清掃可能であることが望ましい。
【０００４】
そこで、例えば、特許文献１に記載のように、いわゆる逆洗機能を有し、且つ双方向の流れに対応した装置の技術が開示されている。この装置は、流水管路の途中に水が流入するケーシングを介在させて、そのケーシング内に筒状フィルタを設けて、その筒状フィルタの内外を導入室（間室）と排出室（中室）とに区画する。導入室にはその導入室への流入のみ許容する対の逆止弁を、及び、前記排出室にはその排出室からの流出のみ許容する対の逆止弁を介して一次側、二次側の各流水管路をそれぞれ接続して、双方向の流れに対応して夾雑物を除去し得るようにしたものである。また、その導入室には、ケーシング外に通じる逆洗管を設けており、その逆洗管の開閉弁を開放すれば、水を排出室から導入室へと逆流させて、筒状フィルタに付着した夾雑物を水とともに外部へ排出（逆洗）し得るようになっている（特許文献１参照）。
【０００５】
また、他の装置として、特許文献２に記載の夾雑物除去装置がある。この装置は、上記特許文献１に記載の装置と同様、双方向の流水に対応できるものとするため、そのケーシングと一次側、二次側の各流水管路との接続部にそれぞれ２つの開口を設け、その接続部の２つの開口をそれぞれケーシング内に設けた筒状フィルタの内外空間に接続して、対応する方向に機能する逆止弁を取り付けたものである（例えば、特許文献２参照）。
【特許文献１】実開平１−１５１８１０号公報
【特許文献２】特許第３１１８７７２号公報
【発明の開示】
【発明が解決しようとする課題】
【０００６】
しかし、特許文献１、特許文献２に記載の装置によれば、逆止弁を動作させる流体圧力に至らない小流量の流れに対しては、装置が適正に作動せず、流水管路の水の供給を止めてしまう場合がある。また、フィルタとそのフィルタに通じる弁部等の部品を簡単に取り外しできないので、メンテナンスの作業が繁雑である。
【０００７】
そこで、この発明は、双方向の流れに対応できる夾雑物除去装置において、小流量時にも、常に水の供給を確保することを第一の課題とし、その装置の各部部品を簡単に取り付け、取り外しできるようにすることを第二の課題とする。
【課題を解決するための手段】
【０００８】
上記の第一の課題を解決するために、この発明は、逆止弁の作用により、流水管路に流れるいずれの方向の流水にも対応できるようにした夾雑物除去装置において、その逆止弁を、フロート弁体としたのである。このようにすれば、逆止弁は、流水管路の流れが小流量であっても、その流水による浮力の作用を利用して適切に開閉機能を発揮し得るので、流水の供給を止めることがない。
【０００９】
また、第二の課題を解決するために、この発明は、前記対の逆止弁を、ケーシング内を上下に区画するプレートに設けたのである。このようにすれば、フロート弁体を上下方向に昇降し得るように取付しやすくなる。また、そのフロート弁体からなる逆止弁は、そのプレートに沿って整然と配置され、メンテナンスを行う場合にその逆止弁等の取り付け、取り外しが容易である。
【発明の効果】
【００１０】
この発明は、以上のようにしたので、小流量時、あるいはフィルタの逆洗中にも、常に水を供給できるようになり、また、装置の各部部品を簡単に取り外しできる。
【発明を実施するための最良の形態】
【００１１】
上記第一の課題を解決する手段を実施するための具体的な実施形態としては、流水管路に介設したケーシング内にフィルタを設け、そのフィルタを介して導入室と排出室とに区画し、前記導入室にはその導入室への流入のみ許容する対の逆止弁を、及び、前記排出室にはその排出室からの流出のみ許容する対の逆止弁を介してそれぞれ両側の流水管路を連通させる。前記導入室にはケーシング外に通じる排出口を設けて、そのフィルタによって捕捉された夾雑物を逆洗により排出する装置を構成する。この夾雑物除去装置において、前記導入室と排出室にそれぞれ設けられる前記対の逆止弁を、それぞれ上下方向に昇降して弁孔を開閉するフロート弁体によって構成したのである。
【００１２】
このようにすれば、弁体は、流水の流体圧力と、その流水中において生じる浮力の作用により、上下方向に昇降して弁孔を開閉し、所定の方向のみの流通を許容する対の逆止弁として開閉機能を発揮し得る。また、小流量時には、前記浮力の作用により弁体が動作するので、逆止弁は適切に機能して流水の供給を止めることがない。
【００１３】
また、上記第二の課題を解決する手段を実施するための具体的な実施形態として、前記ケーシング内をそのプレートを介して上室と下室とに区画し、前記フィルタをその上室又は下室のうち一方に設ける。また、その上室又は下室のうち他方は、左右二室に区画され、その左右二室にそれぞれ前記流水管路が接続されて、前記各対の逆止弁は、前記プレートに設けられるようにした構成を採用し得る。このようにすれば、プレートは、両側（一次側、二次側）の流水管路にそれぞれ接続された左右二室と、前記導入室及び排出室との間に介在して、前記対の逆止弁を配置しやすくなる。
【００１４】
また、このプレートによってケーシング内を上下に区画した構成において、前記対の逆止弁の具体的態様としては、そのプレートに、前記左右二室と前記導入室とをそれぞれ連通する対の流入弁孔と、前記左右二室と前記排出室とをそれぞれ連通する対の流出弁孔とを設ける。その両流入弁孔には前記プレートの導入室側の面に接離するフロート弁体を備えて前記導入室の対の逆止弁とし、前記両流出弁孔には前記プレートの排出室側と反対側の面に接離するフロート弁体を備えて前記排出室の対の逆止弁とした構成を採用し得る。このようにすれば、フロート弁体が流水によって浮沈し有効に機能し得る。
【００１５】
なお、前記各フロート弁体のうち前記プレートの上面に接離するフロート弁体の比重を、前記流水管路Ｐに流れる水の比重より大なるように設定すれば、特に、小流量の状態、すなわち、フロート弁体を弁孔側へ押圧してその弁孔を閉じようとする力が比較的弱い状態において、そのフロート弁体が浮力によって上昇し、その上昇により弁孔を開放して流水が逆流することをより確実に防止し得るので好ましい。その比重の設定は、フロート弁体を構成するの素材そのものを該当する素材のものに選択してもよいし、水より比重の小さい素材におもりを取り付けて、その比重を調整できるようにしてもよい。
【００１６】
また、前記フィルタを筒状を成すものとし、その筒状フィルタを、前記ケーシング内にその筒軸が上下方向になるように設ければ、そのフィルタを配置した上室又は下室内は、筒状フィルタを介してその内外を区画されるので、その筒状フィルタの内側、及びその外側の双方の上部に跨るプレート、すなわち左右二室に通じる各弁孔を並列して配置しやすくなる。また、この形態によれば、筒状フィルタの内側空間の四方に排出室が位置して、流水が通過する透孔を設ける部分を広く確保することができる。
【００１７】
さらに、上記筒状フィルタを用いた構成において、その筒状フィルタは前記下室に設けられ、前記左右二室は前記上室に設けられてその左右二室をそれぞれ左上室及び右上室とし、前記下室内の前記筒状フィルタの内側を前記導入室、外側を前記排出室とし、その導入室内を、通水室と逆洗室とに区画する仕切部材を設け、その通水室は、前記対の流入弁孔を介して左上室及び右上室に、ならびに前記筒状フィルタを介して排出室に通じ、前記逆洗室は、前記筒状フィルタを介して排出室に通じて他は前記仕切部材によって閉じられて、その逆洗室には前記排出口が接続されるようにする。そして、その仕切部材の位置を可変として、その位置を変えれば、前記通水室及び逆洗室の位置が変化するようにする。このようにすれば、逆洗室に面する部分のフィルタのみ限定して逆洗できるので、その逆洗を行う間も通水室の透孔を介して給水を継続でき、また、その仕切部材が前記筒状フィルタの内側を区画する位置を変えることにより、別の部分の透孔を逆洗し得るので、給水を継続しながら順次すべての透孔を逆洗することができる。
【００１８】
また、上記筒状フィルタに仕切部材を設けた構成において、前記仕切部材は、筒状フィルタ内を区画する鉛直仕切板と、前記逆洗室上部を閉じる水平仕切板とからなるようにした構成を採用し得る。このようにすれば、鉛直仕切板によって、筒状フィルタの内側のエリアを通水室と逆洗室とに任意に区画するとともに、その両室の流入弁孔を介して行う左右上室との連通は、水平仕切板によって入断し得るようになるので、通水室と逆洗室の位置を変化させる操作が容易となる。
【００１９】
さらに、前記鉛直仕切板は、筒軸心に位置する鉛直軸回りに回転可能に支持された可動鉛直仕切板と、その鉛直軸から前記筒状フィルタの周面に至る固定鉛直仕切板とからなるようにする。その可動鉛直仕切板は、前記排出口への接続部分を含む方位で回転可能であり、前記水平仕切板は、前記鉛直軸周りに回転するとともに、その回転に連動して前記可動鉛直仕切板を回転させるようにした構成を採用し得る。このようにすれば、その鉛直軸の回転操作により、可動鉛直仕切板及び水平仕切板が連動して動いて一度に所定位置に切り替えることができる。
【００２０】
また、上記フィルタを上室に設け、前記左右二室を前記下室に設けた構成において、その左右二室をそれぞれ左下室及び右下室とし、前記排出口は、前記導入室内の上方に設けられて、前記左下室及び前記右下室には、別の排出口をそれぞれ設けた構成を採用し得る。このようにすれば、流水中の夾雑物のうち比較的比重の小さいものは前記導入室上方の排出口から、比較的比重の大きいものは前記左下室及び前記右下室に設けた排出口から排出できるので、浮遊物から石や砂利など比重の異なる夾雑物が混在する流水に対しても、より捕捉能力を高めて対応できるようになる。なお、導入室の排出口は、必ずしもその導入室の上方に設ける必要はないが、上方に設ければより浮遊物が排出されやすくなる。また、前記左下室及び前記右下室に設ける排出口は、その各室の下方に設ければ夾雑物の捕捉能力が高まる。
【００２１】
また、上記筒状フィルタを前記上室に設け前記左右二室を前記下室に設けた構成において、同じくその左右二室をそれぞれ左下室及び右下室とし、前記上室内において、前記筒状フィルタの内側を前記導入室、外側を前記排出室とし、その導入室内を通水室と逆洗室とに区画する仕切部材を設ける。その通水室は、前記対の流入弁孔を介して左下室及び右下室に、ならびに前記筒状フィルタを介して排出室に通じ、前記逆洗室は、前記筒状フィルタを介して排出室に通じて他は前記仕切部材によって閉じられて、その逆洗室には前記排出口が接続されるようにする。そして、その仕切部材の位置を可変として、その位置を変えれば前記通水室及び逆洗室の位置が変化するようにする。このようにすれば、下室に筒状フィルタを設けた場合と同様に、逆洗室に面する部分のフィルタのみ限定して逆洗できるので、その逆洗を行う間も通水室の透孔を介して給水を継続でき、また、その仕切部材が前記筒状フィルタの内側を区画する位置を変えることにより、別の部分の透孔を逆洗し得るので、給水を継続しながら順次すべての透孔を逆洗することができる。また、その導入室が上室に設けられていれば、比重の小さい夾雑物を逆洗により効率よく排出できるので、より好ましい形態となる。
【実施例１】
【００２２】
一実施例を図１乃至図７に基づいて説明する。この実施例１の夾雑物除去装置は、流水管路内を流れる夾雑物を除去するために、その流水管路の途中に介設される逆洗機能付きの夾雑物除去装置である。
【００２３】
その構成は、図２に示すように、流水管路Ｐの途中に水が流入するケーシング１を介設し、そのケーシング１内は、プレート２を介して上室３と下室４とに区画されている。その上室３の中央において、鉛直方向の壁体６によって左上室３ａ及び右上室３ｂに隔てられるとともに、その左上室３ａ及び右上室３ｂには前記流水管路Ｐ，Ｐがそれぞれ接続されている。
【００２４】
プレート２と壁体６は、図１に示すように、ケーシング１内に収まるよう一体に形成されており、ケーシング１内壁との接点には、図３に示すゴムシート１８等、適宜その隙間を水密に維持するシールが施されている。また、その壁体６の上部には、水平方向に張り出すフランジ６ａが形成されており、ケーシング１の上部開口を閉じる上蓋２０は、そのフランジ６ａとケーシング１上端縁に設けたフランジ１ａとの間でボルト等を介して一体化され、プレート２と壁体６とがケーシング１内で固定される。そして、そのプレート２には、前記下室４に通じる流入弁孔１５ａ，１５ｂ及び流出弁孔１６ａ，１６ｂが形成されている。
【００２５】
前記下室４には、下端面を閉じ上端面を開口した筒状を成すフィルタ５が、その下端面をケーシング１の底部に載置され、その上端面の外縁には、その全周に亘って外側に向かって突出して設けたフランジ５ｃが、ケーシング１内側壁の段部に係止されて据え付けられる。また、そのフランジ５ｃ上には、図１に示す筒状の誘導体１９が載せられて、さらにその上に、前記プレート２が被せて固定される。この筒状フィルタ５の周面には、流水のみを通過させ夾雑物を捕捉する透孔７を有しており、この筒状フィルタ５を介して、下室４内は、その筒状フィルタ５の内側空間を導入室Ｄ、外側空間を排出室Ｅとして、二室に区画される。
【００２６】
この導入室Ｄと前記左上室３ａ、及び導入室Ｄと前記右上室３ｂとは、それぞれ、図２に示すように、前記プレート２に設けられた前記対の流入弁孔１５ａ，１５ｂを介して、その筒状フィルタ５の上端面開口を通じて連通するようになっている。また、前記排出室Ｅと前記左上室３ａ、及び排出室Ｅと前記右上室３ｂとは、それぞれ、前記プレート２に設けられた前記対の流出弁孔１６ａ，１６ｂを介して連通するようになっている。
【００２７】
その両流入弁孔１５ａ，１５ｂには、それぞれ前記プレート２下面に接離するフロート弁体２５ａ，２５ｂが設けられる。フロート弁体２５ａ，２５ｂは、図１に示すように、前記誘導体１９の内側に設けられた上下方向のピン１９ａに昇降可能に支持されており、その弁体自体は水に浮く素材で形成されている。また、前記両流出弁孔１６ａ，１６ｂには、それぞれ前記プレート２上面に接離するフロート弁体２６ａ，２６ｂが設けられる。フロート弁体２６ａ，２６ｂは、図１に示すように、前記プレート２に設けられた上下方向のピン２ａに昇降可能に支持されており、同じくその弁体本体は水に浮く素材で形成されるとともに、その下面におもりとなる金属板を取り付けて、その全体の比重を水よりやや大きいものとしている。このため、その弁体本体と金属板とが一体となった前記フロート弁体２６ａ，２６ｂは、流れのない静水中では水中に沈むものの、わずかな流れに反応してその流体圧力と浮力の作用により水中で浮遊するようになっている。請求項でいうフロート弁体とは、完全に水に浮く弁体のみならず、このように水よりやや大きい比重を有する弁体をも含む概念である。
【００２８】
このフロート弁体２５ａ，２５ｂ、及びフロート弁体２６ａ，２６ｂが昇降することにより、それぞれ、両流入弁孔１５ａ，１５ｂ、及び両流出弁孔１６ａ，１６ｂを開閉して所定の方向のみ流通を許容する逆止弁として機能する。すなわち、前記両流入弁孔１５ａ，１５ｂ及びそれを開閉するフロート弁体２５ａ，２５ｂは、前記導入室Ｄへの流入のみ許容する対の逆止弁として、また、前記両流出弁孔１６ａ，１６ｂ及びそれを開閉するフロート弁体２６ａ，２６ｂは、その排出室Ｅからの流出のみ許容する対の逆止弁として機能する。
【００２９】
また、筒状フィルタ５の内側に位置する前記導入室Ｄには、筒状フィルタ５周面の開口を介して、図３に示すように、逆洗の際の排出口として機能する開閉バルブ９付きの逆洗管８が接続されており、その導入室Ｄ内は、仕切部材１０によって逆洗管８に連通する逆洗室１４と、逆洗管８に連通しない通水室１３とに区画される。  
【００３０】
その仕切部材１０の構成は、図３に示すように、前記筒状フィルタ５の筒軸心に、内軸１７ａとその内軸１７ａを同心に囲む筒状の外軸１７ｂとからなる鉛直軸１７が、その軸周りに回転可能にケーシング１に支持されており、その内軸１７ａとともに筒状フィルタ５内で前記鉛直軸１７周りに回転する可動鉛直仕切板１１ａと、同じく外軸１７ｂとともに回転し、前記筒状フィルタ５の上端面開口の一部を閉じる中心角２１０度の扇形の水平仕切板１２とを有している（図１参照）。さらに、その筒状フィルタ５の内側空間において、その鉛直軸１７から前記筒状フィルタ５の内周面に至る固定鉛直仕切板１１ｂが設けられ、前記筒状フィルタ５周面に設けられる前記逆洗管８への開口は、図５に示すように、鉛直軸１７を挟んで前記固定鉛直仕切板１１ｂの反対側の方位に当たる部分に設けられる。すなわち、可動鉛直仕切板１１ａは、図６に示すように、その逆洗管８への開口を含む約６０度の方位で回転可能となっており、その可動範囲の両端方位には可動鉛直仕切板１１ａに当接するストッパ２１，２２が設けられて、固定鉛直仕切板１１ｂとともに鉛直仕切板１１を構成している。
【００３１】
通常の使用状態において、前記可動鉛直仕切板１１ａは、ストッパ２１，２２のいずれかに当接する方位に位置して、前記水平仕切板１２は、図７（ａ）及び図７（ｂ）に示すように、前記可動鉛直仕切板１１ａが、いずれの側に位置していても、常に逆洗室１４に相当する部分の上部を閉じる状態で使用される。
【００３２】
上記の構成により、筒状フィルタ５の内側空間内の通水室１３は、前記対の流入弁孔１５ａ，１５ｂを介して左上室３ａ及び右上室３ｂに、ならびに透孔７を介して筒状フィルタ５の外側空間に通じることとなり、また、筒状フィルタ５の内側空間内の逆洗室１４は、前記通水室１３内に面する部分以外の透孔７を介して筒状フィルタ５の外側空間に通じて、その上方は、水平仕切板１２によって閉じられる。
【００３３】
この夾雑物除去装置の作用を説明すると、図２に矢印ａで示すように、左側の流水管路Ｐから左上室３ａへ水が流入すると、その流体圧力でフロート弁体２６ａは押し下げられて、図示するように流出弁孔１６ａを閉じ、同じくフロート弁体２５ａも押し下げられて、流入弁孔１５ａを開く。このとき、図中の矢印ｂのように、流入弁孔１５ａからプレート２下方の前記誘導体１９内に流入した水は、その流体圧力及び浮力によりフロート弁体２５ｂを上昇させて、右上室３ｂへの流入弁孔１５ｂを閉じる。このとき、フロート弁体２５ｂには浮力が作用するので、流水が小流量であっても確実に流入弁孔１５ｂを閉じるように作用し得る。
【００３４】
そして、その流入弁孔１５ａから流入する水は、筒状フィルタ５の上端面開口から導入室Ｄ内の通水室１３内へ流入する。このとき、前記水平仕切板１２は、図７（ａ）に示すように、逆洗室１４の上部を閉じているので、流入弁孔１５ａから逆洗室１４へは水が流入しないようになっている。
【００３５】
通水室１３へ流入した水は、筒状フィルタ５の透孔７を通過して排出室Ｅへ図中の矢印ｃのように流出し、その際、流水に混じる夾雑物が透孔７を通過できずに筒状フィルタ５に捕捉される。その後、流水は、その流体圧力により右上室３ｂに通じるフロート弁体２６ｂを押し上げて流出弁孔１６ｂを開き、図中の矢印ｄに示すように、右側の流水管路Ｐに供給されていく。このとき、フロート弁体２６ｂには、その流れによる流体圧力と浮力が作用するので、流水が小流量であっても確実にフロート弁体２６ｂを押し上げて流出弁孔１６ｂを開き、水を供給するように作用し得る。
【００３６】
逆に、図２に矢印ｅで示すように、右側の流水管路Ｐから右上室３ｂへ水が流入すると、その流体圧力でフロート弁体２６ｂは押し下げられて、流出弁孔１６ｂを閉じ、同じくフロート弁体２５ｂも押し下げられて、流入弁孔１５ｂを開く。このとき、図中の矢印ｆのように、流入弁孔１５ｂからプレート２下方の前記誘導体１９内に流入した水は、その流体圧力及び浮力によりフロート弁体２５ａを上昇させて、左上室３ａへの流入弁孔１５ａを閉じる。
【００３７】
そして、その後の作用は、左上室３ａに水が流入する場合と同様であり、前記流入弁孔１５ｂから導入室Ｄ内の通水室１３へ流入した水は、筒状フィルタ５の透孔７を通過して排出室Ｅへ図中の矢印ｃのように流出し、流水は、その水圧により左上室３ａに通じるフロート弁体２６ａを、図中の矢印ｇの方向へ押し上げて流出弁孔１６ａを開き、左側の流水管路Ｐに供給されていく。
【００３８】
このように、ケーシング１内を流水が通過し、時間の経過とともに筒状フィルタ５への夾雑物の付着量が増えると、その透孔７を通過し得る水量が徐々に減少することになるため、適宜、前記逆洗室１４に連通する逆洗管８の開閉バルブ９を開放することにより、捕捉された夾雑物をケーシング１外に排出する逆洗作業を行う。すなわち、開閉バルブ９を開放することにより、逆洗室１４内の水がケーシング１外へと排出され、同時に、排出室Ｅ側から透孔７を逆流する水が、逆洗室１４内へと矢印ｈのように流入する。この逆流により、筒状フィルタ５に付着した夾雑物は、水の勢いで洗い流され、その水とともに外部へ排出される。このとき、通水室１３を通じて、水は、常に一方の流水管路Ｐから他方の流水管路Ｐへと継続して供給されるので、水の供給を止めることなく逆洗することが可能である。
【００３９】
また、鉛直軸１７の上部に、前記内軸１７ａと直結して設けられた操作杆２３を回すことにより、図７（ａ）から図７（ｂ）に示すように、前記可動鉛直仕切板１１ａが筒状フィルタ５の内側空間を区画する位置を変え、その筒状フィルタ５の内側のエリアにおいて、前記通水室１３及び逆洗室１４の占める位置が変化する。このとき、外軸１７ｂに直結する操作杆２４を併せて回転させることにより、その変化後の逆洗室１４上部を、前記水平仕切板１２が覆うように調整する。この変化により、その操作前に逆洗室１４に面していた透孔７とは別の部位の透孔７を逆洗室１４内に新たに位置させて前記逆洗作業を行い、順次すべての透孔７を逆洗により処理することができる。すなわち、逆洗作業により夾雑物を洗浄する透孔７の部位を選択的に設定することができ、且つ、そのいずれの部位を逆洗している際にも、通水室１３を通じて水を継続して供給し得る。
【００４０】
なお、この仕切部材１０の操作は、前記可動鉛直仕切板１１ａと水平仕切板１２とを連動させることもできるようになっている。図７（ａ）に示す可動鉛直仕切板１１ａが一方のストッパ２１側に位置する状態において、操作杆２４を回転させて水平仕切板１２を前記鉛直軸１７周りに矢印ｏのように回転させ、その水平仕切板１２の一方の母線１２ａが可動鉛直仕切板１１ａの方位に達した際に、その操作杆２４に設けた係止部２４ａが、操作杆２３に係止されて連動するように機能する。この連動により、両者が一体に回転するようになり、図中の矢印ｐのように、前記可動鉛直仕切板１１ａを他方のストッパ２２に当接する位置にまで回転させるようになっている。同時に、前記水平仕切板１２は、図７（ｂ）に示すように、その可動鉛直仕切板１１ａが移動後の逆洗室１４の上方を覆って閉じることとなる。
【００４１】
また、この図７（ｂ）に示す状態から、前記操作杆２４を逆に回転することにより、その水平仕切板１２を図中の矢印ｑのように回転させ、その水平仕切板１２の他方の母線１２ｂが可動鉛直仕切板１１ａの方位に達した際に、その操作杆２４に設けた係止部２４ａが、操作杆２３に連動するように機能する。この連動により、両者が一体に回転するようになり、図中の矢印ｒのように、前記可動鉛直仕切板１１ａを一方のストッパ２１に当接する位置にまで回転させるようになっている。同時に、前記水平仕切板１２は、図７（ａ）に示すように、その可動鉛直仕切板１１ａが移動後の逆洗室１４の上方を覆って閉じることとなる。
【００４２】
この実施例１では、可動鉛直仕切板１１ａの可動範囲を鉛直軸１７周りに約６０度の方位とし、扇形を成す前記水平仕切板１２の中心角を約２１０度として設定したが、この実施形態には限定されず、水平仕切板１２が、可動鉛直仕切板１１ａの動きに対応して逆洗室１４に相当する部分の上部を覆って閉じるものであれば、その可動鉛直仕切板１１ａの可動範囲及び、水平仕切板１２の形状は自由である。
【実施例２】
【００４３】
また、上記実施例１では、その周面に逆洗管８を開口させた筒状フィルタ５を使用したが、この実施形態には限定されず、筒状フィルタ５内において、周面以外に逆洗管８を開口させた態様も採用し得る。例えば、実施例２として図８に示すように、周面に透孔を有する夾雑物捕捉用の筒状フィルタ５内を、その筒軸を通る鉛直仕切板１１により通水室１３と逆洗室１４とに区画し、その鉛直仕切板１１を挟んで通水室１３と逆洗室１４の両側に面する筒状部材２８をその筒状フィルタ５内の上下方向に配置する。その筒状部材２８が、その下端が、ケーシング１外に引き出されて開閉バルブ９付きの逆洗管８に接続されており、その上端は、筒状フィルタ５内においては、前記通水室１３と逆洗室１４に向く対の側面開口２８ａ，２８ａを有している。筒状フィルタ５の上端面は開口しており、その開口のうち、逆洗室１４上部を閉じる半円形の水平仕切板１２を筒軸周りに回転可能に設ける。いま、図示するように、水平仕切板１２は、逆洗室１４上部の半円形の開口を覆って閉じており、逆洗室１４には、前記一方の側面開口２８ａを介してその筒状部材２８の内側空間が連通した状態にあるものとする。
【００４４】
この構成において、水平仕切板１２が筒軸周りに回転して、通水室１３上部全体を閉じる位置に到達すると、その水平仕切板１２と一体の環状部材２７が前記筒状部材２８回りに回転して、前記一方の側面開口２８ａを閉じるとともに他方の側面開口２８ａを開放して、前記筒状部材２８の内側空間は、従前の通水室１３側に連通するようになり、その従前の通水室１３が新たな逆洗室１４に移行する。また、従前の逆洗室１４は筒状部材２８の内部空間に連通しなくなり、その従前の逆洗室１４が新たな通水室１３に移行することとなり、同様な機能を発揮し得る。
【実施例３】
【００４５】
つぎに、図９乃至図１３に示す実施例３の夾雑物除去装置は、前記筒状フィルタ５を上室３に設けた夾雑物除去装置である。
【００４６】
主要な構成は実施例１と同様であり、その実施例１との差異点を中心にその構成を説明すると、図１０に示すように、ケーシング１内がプレート２を介して上室３と下室４とに区画されて、さらに、その下室４はその中央において、鉛直方向の壁体６によって左下室４ａ及び右下室４ｂに区画されるとともに、その左下室４ａ及び右下室４ｂには前記流水管路Ｐ，Ｐがそれぞれ接続されている。
【００４７】
また、前記上室３内には、上端面を閉じ下端面を開口した筒状を成す筒状フィルタ５が配置されて、その筒状フィルタ５の下端には、誘導体１９が据え付けられ、さらにその下に、図９に示す軟質ゴムからなるガスケット２’を介して前記プレート２が固定される。この筒状フィルタ５を介して、上室３内は、その筒状フィルタ５の内側空間を導入室Ｄ、外側空間を排出室Ｅとして、二室に区画される。この導入室Ｄと前記左下室４ａ、及び導入室Ｄと前記右下室４ｂとは、それぞれ、図１０に示すように、前記プレート２に設けられた対の流入弁孔１５ａ，１５ｂを介して、その筒状フィルタ５の下端面開口を通じて連通するようになっている。また、前記排出室Ｅと前記左下室４ａ、及び排出室Ｅと前記右下室４ｂとは、それぞれ、前記プレート２に設けられた対の流出弁孔１６ａ，１６ｂを介して連通するようになっている。なお、プレート２は、前記ガスケット２’を適宜介在させて固定することが好ましい。
【００４８】
その両流入弁孔１５ａ，１５ｂは、それぞれ前記プレート２に形成されて、下室４を左右二室に区画する壁体６を挟んで両側に開口して構成される。その開口で構成された各流入弁孔１５ａ，１５ｂには、その上面に接離するフロート弁体２５ａ，２５ｂが設けられる。フロート弁体２５ａ，２５ｂは、図９に示すように、前記誘導体１９の内側に設けられた突起１９ｃに昇降可能に誘導されているとともに内側に突出するピン１９ｂにより昇降範囲の上端が規制される。その弁体自体は水に浮く素材で形成されており、その下面におもりとなる金属板を取り付けて、その全体の比重を水よりやや大きいものとしている。また、前記両流出弁孔１６ａ，１６ｂには、それぞれ前記プレート２下面に接離するフロート弁体２６ａ，２６ｂが設けられる。フロート弁体２６ａ，２６ｂは、図１０に示すように、前記プレート２に設けられた上下方向のピン２ａに昇降可能に誘導されており、その弁体本体は水に浮く素材で形成されている。
【００４９】
また、筒状フィルタ５の内側に位置する前記導入室Ｄには、筒状フィルタ５の上端面を介して、図１０に示すように、開閉バルブ９付きの逆洗管８が接続されており、その導入室Ｄ内は、仕切部材３０によって逆洗管８に連通する逆洗室１４と、逆洗管８に連通しない通水室１３とに区画される。
【００５０】
その仕切部材３０の構成は、図９に示すように、前記筒状フィルタ５の筒軸心に、中空の鉛直軸３７が、その軸周りに回転可能にケーシング１に支持されており、その鉛直軸３７とともに軸周りに回転する鉛直仕切板３１と、同じく軸周りに回転し、前記筒状フィルタ５の下端面開口の一部を閉じる中心角１８０度の扇形の水平仕切板３２とを有している（図９参照）。また、その鉛直軸３７の中空部には、固定軸３５が挿通されており、その固定軸３５の下端が、前記下室４を左右二室に区画する壁体６上面の支持孔３４に嵌めて固定される。
【００５１】
さらに、その鉛直仕切板３１の上端部には、図中に示す凹部３０ａ，３０ａが形成されている。前記筒状フィルタ５上端面に設けられる前記逆洗管８への開口８ａは、図９に示すように、操作杆２４を操作して仕切部材３０を回転することにより、前記凹部３０ａが、前記開口８ａの位置に来た時に、その操作杆２４に取り付けた係止片２４ａが、蓋２０上に設けた柱状の係止部材により当接することにより、その位置で停止するようになっている。
この停止機能は、このような態様に限定されず、他の態様、例えば、開口８ａから下方に向かって、前記凹部３０ａにぴったりと嵌る外形を有する筒状部材を伸ばし、その筒状部材の上端を開口８ａに連通するとともに、下端を筒状フィルタ５内の空間に向かって開口し、且つ突出させる。前記鉛直仕切板３１が、前記鉛直軸３７の軸周りに回転することにより、前記凹部３０ａの一方が、その筒状部材の外周に当接してぴったりと密着するようにし、鉛直仕切板３１の回転は、この当接により回転範囲が規制されるようにしてもよい。
【００５２】
通常の使用状態において、前記鉛直仕切板３１は、前記凹部３０ａ，３０ａのいずれか一方が前記開口８ａに当接する方位に位置して、前記水平仕切板３２は、図１０に示すように、導入室Ｄ内において前記鉛直仕切板３１によって区画された空間のうち逆洗室１４に相当する側の空間下面を閉じる状態となる。
【００５３】
上記の構成により、筒状フィルタ５の内側空間内の通水室１３は、前記対の流入弁孔１５ａ，１５ｂを介して左下室４ａ及び右下室４ｂに、ならびにその筒状フィルタ５周面の透孔７を介して筒状フィルタ５の外側空間に通じることとなり、また、筒状フィルタ５の内側空間内の逆洗室１４は、前記通水室１３内に面する部分以外の透孔７を介して筒状フィルタ５の外側空間に通じて、その下方は、水平仕切板３２によって区画される。
【００５４】
この実施例３の夾雑物除去装置の作用について、実施例１の説明図である図２に示す矢印ａ，ｂ，ｃ・・・が、図１０に示す矢印ａ’，ｂ’，ｃ’・・・に対応しており、この装置によれば、流水中の夾雑物のうち比較的比重の小さいものは、開閉バルブ９を開放して、図１０に示す前記導入室Ｄ上方の排出口である逆洗管８から排出でき、また、比較的比重の大きいものは、開閉バルブ９’を開放して前記左下室４ａ及び前記右下室４ｂに設けた排出口である逆洗管８’，８’から排出できる。このとき、前記左下室４ａ及び前記右下室４ｂは、それぞれ流水管路Ｐとの接続部分の管径に比べてその内径が急激に拡大するように形成されているので、その流水中の夾雑物が沈殿しやすいという効果がある。このため、排出口として逆洗管８’，８’を、それぞれ前記左下室４ａ及び前記右下室４ｂの下方に設けることにより、その夾雑物の排出機能が高まる。
【実施例４】
【００５５】
図１４乃至１７に示す実施例４の夾雑物除去装置は、前記筒状フィルタ５を上室３に設けた実施例３に示す夾雑物除去装置のフィルタ５内に、実施例１の仕切部材を採用した夾雑物除去装置である。
【００５６】
ケーシング１の主要な構成は実施例３と同様であり、図１５に示すように、ケーシング１内がプレート２を介して上室３と下室４とに区画されて、さらに、その下室４はその中央において、鉛直方向の壁体６によって左下室４ａ及び右下室４ｂに区画されるとともに、その左下室４ａ及び右下室４ｂには前記流水管路Ｐ，Ｐがそれぞれ接続されている。
【００５７】
また、前記上室３内には、上端面を閉じ下端面を開口した筒状を成す筒状フィルタ５が配置されて、その筒状フィルタ５の下端には、誘導体１９が据え付けられ、さらにその下に、ガスケット２’を介して前記プレート２が固定される。この筒状フィルタ５を介して、上室３内は、その筒状フィルタ５の内側空間を導入室Ｄ、外側空間を排出室Ｅとして、二室に区画される。この導入室Ｄと前記左下室４ａ、及び導入室Ｄと前記右下室４ｂとは、それぞれ、図１５に示すように、前記プレート２に設けられた対の流入弁孔１５ａ，１５ｂを介して、その筒状フィルタ５の下端面開口を通じて連通するようになっている。また、前記排出室Ｅと前記左下室４ａ、及び排出室Ｅと前記右下室４ｂとは、それぞれ、前記プレート２に設けられた対の流出弁孔１６ａ，１６ｂを介して連通するようになっている。
【００５８】
前記各流入弁孔１５ａ，１５ｂの上面に接離するフロート弁体２５ａ，２５ｂ、及び前記各流出弁孔１６ａ，１６ｂの下面に接離するフロート弁体２６ａ，２６ｂの構成は、実施例３と同様であるので説明を省略する。
【００５９】
また、筒状フィルタ５の内側に位置する前記導入室Ｄには、筒状フィルタ５の上端面を介して、図１６に示すように、開閉バルブ９付きの逆洗管８が接続されており、その導入室Ｄ内は、仕切部材４０によって逆洗管８に連通する逆洗室１４と、逆洗管８に連通しない通水室１３とに区画される。
【００６０】
その仕切部材４０の構成は、図１４に示すように、前記筒状フィルタ５の筒軸心に、内軸４７ａとその内軸４７ａを同心に囲む筒状の外軸４７ｂとからなる鉛直軸４７が、その軸周りに回転可能に設けられ、その鉛直軸４７の中空部には、固定軸３５が挿通されており、その固定軸３５の下端が、前記下室４を左右二室に区画する壁体６上面の支持孔３４に嵌めて固定される。
仕切部材４０は、その外軸４７ｂとともに筒状フィルタ５内で前記鉛直軸４７周りに回転する可動鉛直仕切板４１ａと、同じく内軸４７ａとともに回転し、前記筒状フィルタ５の下端面開口の一部を閉じる中心角２１０度の扇形の水平仕切板４２とを有している（図１４参照）。さらに、その筒状フィルタ５の内側空間において、その鉛直軸４７から前記筒状フィルタ５の内周面に至る固定鉛直仕切板４１ｂが設けられ、前記筒状フィルタ５上端面に設けられる前記逆洗管８への開口８ａは、図１４及び図１７に示すように、鉛直軸４７を挟んで前記固定鉛直仕切板４１ｂの反対側の方位に当たる部分に設けられる。すなわち、可動鉛直仕切板４１ａは、図１７に示すように、その逆洗管８への開口を含む約６０度の方位で回転可能となっており、その可動範囲の両端方位には可動鉛直仕切板４１ａに当接するストッパ５１，５２が設けられて、固定鉛直仕切板４１ｂとともに鉛直仕切板４１を構成している。
【００６１】
通常の使用状態において、前記可動鉛直仕切板４１ａは、ストッパ５１，５２のいずれかに当接する方位に位置して、前記水平仕切板４２は、実施例１の説明図である図７（ａ）及び図７（ｂ）に示すように、前記可動鉛直仕切板４１ａが、いずれの側に位置していても、常に逆洗室１４に相当する部分の下部を閉じる状態で使用される。
【００６２】
上記の構成により、筒状フィルタ５の内側空間内の通水室１３は、前記対の流入弁孔１５ａ，１５ｂを介して左下室４ａ及び右下室４ｂに、ならびに透孔７を介して筒状フィルタ５の外側空間に通じることとなり、また、筒状フィルタ５の内側空間内の逆洗室１４は、前記通水室１３内に面する部分以外の透孔７を介して筒状フィルタ５の外側空間に通じて、その下方は、水平仕切板４２によって区画される。
【００６３】
この実施例４に示す夾雑物除去装置の作用については、実施例１の説明図である図２に示す矢印ａ，ｂ，ｃ・・・が、図１５に示す矢印ａ’’，ｂ’’，ｃ’’・・・に対応している。
【００６４】
また、鉛直軸４７の上部において、前記外軸４７ｂと直結して設けられた操作杆４３を回すことにより、前記可動鉛直仕切板４１ａが筒状フィルタ５の内側空間を区画する位置を変え、その筒状フィルタ５の内側のエリアにおいて、前記通水室１３及び逆洗室１４の占める位置が変化する。このとき、内軸４７ａに直結する操作杆４４を併せて回転させることにより前記水平仕切板４２が位置を変え、その変化後の逆洗室１４下部を閉じるのは、実施例１の場合と同様である。
【００６５】
なお、この仕切部材４０の操作は、実施例１の場合と同様、前記可動鉛直仕切板４１ａと水平仕切板４２とを連動させることもできるようになっている。すなわち、図１７に示す可動鉛直仕切板４１ａが一方のストッパ５１側に位置する状態において、操作杆４４を回転させて水平仕切板４２を前記鉛直軸４７周りに回転させ、その操作杆４４に設けた係止部４４ａが、操作杆４３に係止されて連動するように機能する。この連動により、両者が一体に回転するようになり、前記可動鉛直仕切板４１ａを他方のストッパ５２に当接する位置にまで回転させるようになっている。同時に、前記水平仕切板４２は、その可動鉛直仕切板４１ａが移動後の逆洗室１４の下方を覆って閉じることとなる。
【００６６】
また、前記操作杆４４を逆に回転することにより、その操作杆４４に設けた係止部４４ａが、操作杆４３に連動するように機能し、前記可動鉛直仕切板４１ａを一方のストッパ５１に当接する位置にまで回転させるようになっている。同時に、前記水平仕切板４２は、その可動鉛直仕切板４１ａが移動後の逆洗室１４の下方を覆って閉じることとなる。
【００６７】
なお、上記各実施例１，２，３，４において、必要により、仕切部材１０，３０，４０を設けずに、逆洗する透孔７の部位を選択する機能を省略した態様も採用し得る。すなわち、筒状フィルタ５の内側を仕切部材１０，３０，４０によって通水室１３と逆洗室１４とに区画していない態様において、その筒状フィルタの内側に開口する逆洗管８の開閉バルブ９を開放すれば、すべての透孔７を介して水が逆流して筒状フィルタ５が逆洗される態様である。さらに逆止弁の態様も、本実施形態の脱着可能なプレート２を介在した構成には限定されず、プレート２に相当する隔壁をケーシング１に一体に設けて、その隔壁に逆止弁を取り付けてもよい。
なお、前記仕切部材等によって、フィルタ内を各室に区画する場合において、その区画した部分は、必ずしも完全に水密に仕切られることは求められず、フィルタによる夾雑物捕捉機能を阻害しない限りにおいて隙間等を有した状態で区画されていてもよい。例えば、仕切部材とフィルタとの摺動部分、あるいは、その両者の突き合わせ部分等において、その可動部分の円滑な動きを確保するのに必要な隙間を設定してもよいことはいうまでもない。
【００６８】
さらに、筒状以外の形状を有するフィルタも採用可能である。例えば、平板状のフィルタであって、下室４内を導入室Ｄと排出室Ｅとに区画し得るものが考えられる。また、プレート２等によりケーシング１内を上室３と下室４とに区画することなく、流水管路Ｐを、所定の逆止弁を介して、直接、前記導入室Ｄ及び排出室Ｅに接続するようにしてもよい。また、上記の各実施形態において、逆洗管８及び開閉バルブ９の態様は、この実施形態には限定されず、逆洗時に排出口として同様の作用を発揮し得るものであればよいことはいうまでもない。
【図面の簡単な説明】
【００６９】
【図１】一実施例の分解斜視図
【図２】同実施例の切断正面図
【図３】図２の左切断側面図
【図４】図２の平面図
【図５】図２のＡ−Ａ断面図
【図６】逆洗時の機能を示す説明図
【図７】仕切部材の動きを説明する詳細図
【図８】他の実施例の平面図
【図９】他の実施例の分解斜視図
【図１０】図９の実施例の切断正面図
【図１１】図１０の左切断側面図
【図１２】図１０の平面図
【図１３】図１０のＡ−Ａ断面図
【図１４】他の実施例の分解斜視図
【図１５】図１４の実施例の切断正面図
【図１６】図１５の平面図
【図１７】図１５のＡ−Ａ断面図
【符号の説明】
【００７０】
１  ケーシング
２  プレート
２’  ガスケット
３  上室
３ａ  左上室
３ｂ  右上室
４  下室
４ａ  左下室
４ｂ  右下室
５  筒状フィルタ
６  壁体
７  透孔
８  逆洗管
９  開閉バルブ
１０，３０，４０  仕切部材
１１，３１，４１  鉛直仕切板
１１ａ，４１ａ  可動鉛直仕切板
１１ｂ，４１ｂ  固定鉛直仕切板
１２，３２，４２  水平仕切板
１３  通水室
１４  逆洗室
１５ａ，１５ｂ  流入弁孔
１６ａ，１６ｂ  流出弁孔
２５ａ，２５ｂ，２６ａ，２６ｂ  フロート弁体
１７，３７，４７  鉛直軸
１８  ゴムシート
１９  誘導体
２０  上蓋
３４  支持孔
３５  固定軸
３６  隔壁
Ｄ  導入室
Ｅ  排出室
【図１】
2006075817.tif 000003
【図２】
2006075817.tif 000004
【図３】
2006075817.tif 000005
【図４】
2006075817.tif 000006
【図５】
2006075817.tif 000007
【図６】
2006075817.tif 000008
【図７】
2006075817.tif 000009
【図８】
2006075817.tif 000010
【図９】
2006075817.tif 000011
【図１０】
2006075817.tif 000012
【図１１】
2006075817.tif 000013
【図１２】
2006075817.tif 000014
【図１３】
2006075817.tif 000015
【図１４】
2006075817.tif 000016
【図１５】
2006075817.tif 000017
【図１６】
2006075817.tif 000018
【図１７】
2006075817.tif 000019